(57)【要約】【課題】  吸込口の近傍に傾斜立毛を有するブラシ部を設けた電気掃除機のノズルにおいて、塵埃を除去しやすくする。【解決手段】  電気掃除機において、被清掃面Ａと対向する細長い吸込口２５が設けられた第二ノズル２０の対向面２４に、立毛２６Ａ，２７Ａが前記吸込口２５側に傾斜するように対のブラシ部２６，２７を設け、これらのブラシ部２６，２７を前記吸込口２５側よりその外側を後退させて傾斜させたことにより、絨毯や衣類等に付着した繊維屑や毛髪等の塵埃を取り除く際、前記ブラシ部２６，２７の一方によって塵埃を掻き取り保持すると共に、前記ブラシ部２６，２７の他方が保持した塵埃を離脱した後は、前記ブラシ部２６，２７の他方が前記被清掃面Ａから離れることで抵抗となることがなく、また、前記ブラシ部２６，２７から離脱した塵埃を前記吸込口２５から吸引することで、前記被清掃面Ａを良好に清掃することができる。【選択図】図４
2007054433.tif 000002
【特許請求の範囲】
【請求項１】
電動送風機を内蔵した掃除機本体と、前記電動送風機に吸引路を介して接続されるノズルを備えた電気掃除機において、前記ノズルの被清掃面と対向する対向面に吸込口を形成し、この吸込口を挟んで前記ノズルの移動方向両側に、それぞれ毛先を前記吸込口側に向けて傾斜立設させた対のブラシ部を設けると共に、前記ブラシ部が前記吸込口から離れる程後退していることを特徴とする電気掃除機。
【請求項２】
電動送風機を内蔵した掃除機本体と、前記掃除機本体の下部に設けられて前記電動送風機に第一吸引路を介して接続される床掃除用ノズルを備えた電気掃除機において、前記掃除機本体に対して着脱自在に設けられると共に前記電動送風機に第二吸引路を介して接続された第二ノズルを設け、この第二ノズルの被清掃面と対向する対向面に吸込口を形成し、この吸込口を挟んで前記第二ノズルの移動方向両側に、それぞれ毛先を前記吸込口側に向けて傾斜立設させた対のブラシ部を設けると共に、前記ブラシ部が前記第二ノズルの吸込口から離れる程後退していることを特徴とする電気掃除機。
【請求項３】
前記掃除機本体に前記第二ノズルの嵌合受け部を設けると共に、この嵌合受け部に前記吸込口の封止部材を設けたことを特徴とする請求項２記載の電気掃除機。
【請求項４】
前記掃除機本体と前記床掃除用ノズルが、前記第一吸引路を構成する回動自在な接続部を介して接続され、この接続部に前記掃除機本体と前記床掃除用ノズルとの相対角度に応じて前記第一吸引路を選択的に接続、非接続とする開閉部を設け、前記床掃除用ノズルの吸込口に回転ブラシを設けると共にこの回転ブラシに回転駆動源を接続し、前記嵌合受け部に前記第二のノズルの着脱に応動して前記回転駆動源を作動可能又は作動不能とさせるノズル検知部を設けたことを特徴とする請求項３記載の電気掃除機。
【発明の詳細な説明】
【技術分野】
【０００１】
本発明は、掃除用ノズルを備えた電気掃除機に関するものである。
【背景技術】
【０００２】
従来、電動送風機を内部に有する掃除機本体にノズルを設け、このノズルと前記電動送風機とを吸引路を介して接続し、前記ノズルに糸屑や細かいごみを捕捉する毛を設けたものとして、吸引路に接続される吸込口を有する床掃除用ノズルの水平な下面に毛群（カットパイル）を一方向に傾斜して設け、この毛群（カットパイル）によってカーペット等に付着した糸屑等を掻き取り、その後に横長吸い込み口より吸引できるようにしたアタッチメント（例えば特許文献１、２）や、掃除機の吸引路に接続される隙間用スリットノズルに取付けられ、吸い込み口の周囲に平らな板状部材を設けると共に、この板状部材に前記吸い込み口に向って傾斜した傾斜剛毛を有するブラシプレートを設けたアタッチメント（例えば特許文献３）が公知である。そして特に、特許文献３のアタッチメントでは、吸込口を挟んで前後又は左右に、傾斜剛毛が吸込口側に傾斜するようにそれぞれブラシプレートを設けており、掃除機で吸引しながらアタッチメントが取り付けられたノズルを被清掃面上を往復動させることで、被清掃面上の塵埃を吸引しつつ、吸引されなかった塵埃が進行方向後側のブラシプレートによって掻き取られて保持されると共に、進行方向前側のブラシプレートに保持された塵埃がこのブラシプレートから離脱する。なお、進行方向前側のブラシプレートから離脱した塵埃は、このブラシプレートの後側となる吸込口から吸引されると共に、吸引されなかった塵埃も進行方向後側のブラシプレートによって掻き取られて保持される。このように、被清掃面上の塵埃をブラシプレートで掻き取り、掻き取った塵埃を離脱させ、吸込口から吸引するということが繰り返されることで、被清掃面上の塵埃が除去される。
【０００３】
さらに、近年においては吸引路の途中をホースにより形成して掃除機本体の外側にあらわすと共に、ホースの先端を吸引路の一次側に対して着脱に設けて、ホースの先端を一次側より外して該先端によっても糸屑や細かいごみを捕捉できるようにしたものも知られている。
【特許文献１】実公昭５０−２６８２号公報
【特許文献２】実公昭６０−３８４４７号公報
【特許文献３】実開昭５４−１８１６５５号公報
【発明の開示】
【発明が解決しようとする課題】
【０００４】
しかしながら、前記従来技術の電気掃除機では、吸込口の両側に設けられたブラシが略同一平面上にあるので、全てのブラシが常時被清掃面に接していることになり、清掃時の抵抗が大きくなってしまうばかりでなく、ブラシや被清掃面が摩耗しやすいという問題があった。特に、進行方向前側のブラシについては、塵埃を離脱させた後は被清掃面に接している必要がなく、改良の余地があった。
【０００５】
解決しようとする問題点は、吸込口の近傍に傾斜立毛を有するブラシを設けた電気掃除機のノズルにおいて、塵埃を除去しやすくする点である。
【課題を解決するための手段】
【０００６】
請求項１の発明は、電動送風機を内蔵した掃除機本体と、前記電動送風機に吸引路を介して接続されるノズルを備えた電気掃除機において、前記ノズルの被清掃面と対向する対向面に吸込口を形成し、この吸込口を挟んで前記ノズルの移動方向両側に、それぞれ毛先を前記吸込口側に向けて傾斜立設させた一対のブラシ部を設けると共に、前記ブラシ部が前記吸込口から離れる程後退していることを特徴とする電気掃除機である。
【０００７】
請求項２の発明は、電動送風機を内蔵した掃除機本体と、前記掃除機本体の下部に設けられて前記電動送風機に第一吸引路を介して接続される床掃除用ノズルを備えた電気掃除機において、前記掃除機本体に対して着脱自在に設けられると共に前記電動送風機に第二吸引路を介して接続された第二ノズルを設け、この第二ノズルの被清掃面と対向する対向面に吸込口を形成し、この吸込口を挟んで前記第二ノズルの移動方向両側に、それぞれ毛先を前記吸込口側に向けて傾斜立設させた一対のブラシ部を設けると共に、前記ブラシ部が前記第二ノズルの吸込口から離れる程後退していることを特徴とする電気掃除機である。
【０００８】
請求項３の発明は、前記掃除機本体に前記第二ノズルの嵌合受け部を設けると共に、この嵌合受け部に前記吸込口の封止部材を設けたことを特徴とする請求項２記載の電気掃除機である。
【０００９】
請求項４の発明は、前記掃除機本体と前記床掃除用ノズルが、前記第一吸引路を構成する回動自在な接続部を介して接続され、この接続部に前記掃除機本体と前記床掃除用ノズルとの相対角度に応じて前記第一吸引路を選択的に接続、非接続とする開閉部を設け、前記床掃除用ノズルの吸込口に回転ブラシを設けると共にこの回転ブラシに回転駆動源を接続し、前記嵌合受け部に前記第二のノズルの着脱に応動して前記回転駆動源を作動可能又は作動不能とするノズル検知部を設けたことを特徴とする請求項３記載の電気掃除機である。
【発明の効果】
【００１０】
請求項１の発明によれば、被清掃面に付着した塵埃等を取り除く際に、電動送風機を作動させると共に、前記対向面に前記吸込口を挟んで設けられた一対の前記ブラシ部のうちの一方が被清掃面に接するようにして、前記ノズルを前記吸込口が進行方向前側となるように動かすことで、塵埃が前記吸込口から吸引されると共に、一方の前記ブラシ部によって塵埃が掻き取られて保持される。この際、他方のブラシ部が被清掃面から離れているので、他方のブラシ部が抵抗となることがない。そして、前記ノズルの進行方向を反転させることで、前記一方のブラシ部に保持された塵埃が離脱し、この離脱した塵埃が前記吸込口から吸引されると共に、前記ノズルを逆方向に傾けて他方のブラシ部が被清掃面に接するようにして動かすことで、前記吸込口から吸引されなかった塵埃が他方のブラシ部によって掻き取られて保持される。これらが繰り返されることで、被清掃面を良好に清掃することができる。
【００１１】
請求項２の発明によれば、被清掃面に付着した塵埃等を取り除く際に、電動送風機を作動させると共に、前記対向面に前記吸込口を挟んで設けられた一対の前記ブラシ部のうちの一方が被清掃面に接するようにして、前記第二ノズルを前記吸込口が進行方向前側となるように動かすことで、塵埃が前記吸込口から吸引されると共に、一方の前記ブラシ部によって塵埃が掻き取られて保持される。この際、他方のブラシ部が被清掃面から離れているので、他方のブラシ部が抵抗となることがない。そして、前記第二ノズルの進行方向を反転させることで、前記一方のブラシ部に保持された塵埃が離脱し、この離脱した塵埃が前記吸込口から吸引されると共に、前記第二ノズルを逆方向に傾けて他方のブラシ部が被清掃面に接するようにして動かすことで、前記吸込口から吸引されなかった塵埃が他方のブラシ部によって掻き取られて保持される。これらが繰り返されることで、被清掃面を良好に清掃することができる。また、第二ノズルが接続される第二吸引路を専用にして前記電動送風機に接続しているので、前記第二吸引路を最適な面積、形状に設定することができる。
【００１２】
請求項３の発明によれば、嵌合受け部側に前記吸込口の封止部材を設けたことにより、前記第二ノズルに開閉弁などを設置しなくとも済み、前記第二ノズルの軽量化を図ることができる。
【００１３】
請求項４の発明によれば、前記第二ノズルを使用しているときに前記回転駆動源が駆動したり、前記床掃除用ノズルの吸込口から吸引されたりする誤動作を阻止することができる。
【発明を実施するための最良の形態】
【００１４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１５】
本実施例について、図１乃至図５に基づいて説明する。なお、本実施例においては、図１の姿勢を基準として、長手方向を上下と規定する。また、図１において、左側が前、右側が後と規定する。電動機１と該電動機１の回転軸に取り付けられたファン２からなる電動送風機３を下部内側に設けた掃除機本体４の内部上部には集塵室５が設けられており、この集塵室５に電動送風機３の１次側が接続されていると共に、電動送風機３の２次側が掃除機本体４に設けた排気部６に接続されている。さらに、前記掃除機本体４の背面側下部には、吸引管７を設けた突出部８が一体的に設けられていると共に、前記吸引管７の下端には、下面に横長の吸込口９が設けられた吸込部たる床掃除用ノズル１０が着脱自在に接続されている。前記吸込口９は、前記床掃除用ノズル１０の前端側下面に設けられ、前記吸込口９には回転ブラシ１１が回動自在に設けられると共に、この回転ブラシ１１を回転駆動するための電動機からなる回転駆動源１２が前記回転ブラシ１１に対して直接或いは間接的に接続されて前記床掃除用ノズル１０内に設けられている。なお、横長の前記吸込口９は、前記床掃除用ノズル１０の進行方向（前後方向）と直交する方向、すなわち幅方向に長く形成されると共に、前記回転ブラシ１１は、前記吸込口９の長さ方向と略平行に設けられている。さらに、前記掃除機本体４の上方には、両端が前記掃除機本体４に接続された略半環状のハンドル１３が突設している。なお、このハンドル１３の一端は、前記掃除機本体４の上端の前側に接続されていると共に、前記ハンドル１３の他端は、前記掃除機本体４の略中央に接続されている。
【００１６】
また、前記床掃除用ノズル１０の後端側に設けた受部１４には接続部１５が回動自在に枢支されている。前記受部１４は、軸心が幅方向となるように形成された円筒面状の円弧状部１４Ａを有しており、この円弧状部１４Ａの前部に前記吸込口９と接続する連通路１６が設けられている。一方、前記受部１４によって枢支される接続部１５は、前記円弧状部１４Ａに対して同軸的に保持されて円弧状部１４Ａの内側に回動自在に嵌合する円筒パイプ状の枢支部１５Ａと、前記突出部８に挿入されて前記吸引管７に接続される接続管１５Ｂとで略逆Ｔ字状に形成されている。また、前記接続管１５Ｂの後方には、前記突出部８と係合して前記接続部１５，ひいては前記床掃除用ノズル１０を前記掃除機本体４に固定するための係合部１５Ｃが設けられている。なお、前記枢支部１５Ａの左右方向略中央には、前記連通路１６と連通する連通用孔１７が形成されている。そして、前記吸込口９を吸引の一次側とした第一吸引路１８は、前記連通路１６、連通用孔１７、接続部１５（枢支部１５Ａ及び接続管１５Ｂ），吸引管７、集塵室５、電動送風機３を介して排気部６を二次側とする。そして、前記床掃除用ノズル１０に対して前記掃除機本体４を後方に傾斜させると、すなわち前記床掃除用ノズル１０に対して前記接続部１５を傾斜させると、前記円弧状部１４Ａと枢支部１５Ａとの摺動により、前記連通用孔１７が前記連通路１６と接続し、第一吸引路１８が連通状態となる。一方、前記床掃除用ノズル１０に対して前記掃除機本体４を直立させると、すなわち前記床掃除用ノズル１０に対して前記接続部１５を直立させると、連通用孔１７は連通路１６と接続せずに連通用孔１７が前記円弧状部１４Ａの内周面に臨んで封止状態となり、前記第一吸引路１８が非連通状態となる。そして、前記連通路１６と連通用孔１７によって、前記床掃除用ノズル１０に対して掃除機本体４が直立（角度τ≒９０度）すると閉成し、掃除機本体４が後方に傾斜しているときは開成するように前記第一吸引路１８を選択的に接続、非接続とする開閉部１９が形成される。
【００１７】
さらに、前記掃除機本体４には、前記床掃除用ノズル１０とは独立して、第二ノズル２０が設けられている。この第二ノズル２０は内部が空洞となっており、その長手方向の基端には柄部２１が一体に設けられている。そして、前記第二ノズル２０の基端、すなわち前記柄部２１には、可撓性ホース２２の一端が接続されており、この可撓性ホース２２の他端は前記掃除機本体４の上端面に設けた接続孔４Ａに接続されていると共に、この接続孔４Ａは前記集塵室５に接続されている。従って、前記第二ノズル２０の後述する吸込口２５を吸引の一次側とした第二吸引路２３は、前記柄部２１、可撓性ホース２２、接続孔４Ａ、集塵室５、電動送風機３を介して前記排気部６を二次側とする。
【００１８】
前記第二ノズル２０の周面には膨出部２０Ａが形成されており、この膨出部２０Ａに絨毯や衣類等の被清掃面Ａと対向する対向面２４が形成されていると共に、この対向面２４に吸込口２５が形成されており、この吸込口２５によって前記第二ノズル２０の内外が連通している。なお、前記対向面２４は、前記柄部２１の軸方向に対して傾斜して設けられていると共に、前記吸込口２５は、前記対向面２４の略中央で、前記第二ノズル２０及び対向面２４の長手方向に沿って細長く形成されている。また、前記対向面２４は、図４に示すように、前記吸込口２５から離れる程後退するように、即ち、前記対向面２４を下向きにして前記吸込口２５を前記被清掃面Ａに正対させた場合に、前記対向面２４における前記吸込口２５に近い部位２４Ａよりも前記吸込口２５から遠い部位２４Ｂが高くなるように、前記吸込口２５が最も低くなる凸形状に形成されている。なお、図４では、傾斜角度θを強調して記載している。そして、前記対向面２４には、前記吸込口２５を挟んで一対のブラシ部２６，２７が設けられている。なお、これらのブラシ部２６，２７は、上述した構造の対向面２４に設けられていることで、前記吸込口２５から離れる程後退するように、即ち、前記対向面２４を下向きにして前記吸込口２５を前記被清掃面Ａに正対させた場合に、前記ブラシ部２６，２７における前記吸込口２５側よりも反吸込口２５側が高くなる。また、これらのブラシ部２６，２７は、カットパイルの多数の立毛２６Ａ，２７Ａを一方向に傾斜させたものであり、洋服用のブラシなどではよく知られたものである。また、これらのブラシ部２６，２７は、前記吸込口２５の長手方向に沿って、前記吸込口２５の両側近傍にそれぞれ設けられている。更に、前記ブラシ部２６，２７は、前記長手方向と直交する方向、すなわち前記第二ノズル２０の幅方向にもある程度の幅をもって設けられている。なお、前記ブラシ部２６，２７の長手方向の長さＸは、幅方向長さＹよりも長く形成されている。また、前記ブラシ部２６，２７の立毛２６Ａ，２７Ａは、前記吸込口２５側に向けてぞれぞれ傾斜するように前記対向面２４に取り付けられている。
【００１９】
なお、本実施例では、前記対向面２４が前記吸込口２５から離れるに従って直線状（即ち、前記吸込口２５を基準とした傾斜角度θが一定となるよう）に傾斜しているが、前記対向面２４が前記吸込口２５から離れるに従って曲線状（即ち、傾斜角度θが徐々に大きくなるよう）に傾斜させてもよく、また、段階状（即ち、傾斜角度θが段階的に大きくなるよう）に傾斜させてもよい。また、前記対向面２４の傾斜角度θは、前記吸込口２５の幅や断面形状、前記ブラシ部２６，２７の立毛２６Ａ，２７Ａの長さ、前記吸込口２５から前記ブラシ部２６，２７までの距離等にも依るが、前記吸込口２５が前記被清掃面Ａに対して正対した状態を除き、前記ブラシ部２６，２７の一方が前記被清掃面Ａに接した状態において、前記ブラシ部２６，２７の他方が前記被清掃面Ａに接することがなく、且つ、前記吸込口２５が前記被清掃面Ａから離れ過ぎてしまうことで前記被清掃面Ａ上の塵埃の吸引が妨げられることがなく、更に前記柄部２１を握り直すことなく前記被清掃面Ａに前記ブラシ部２６，２７の一方が接した状態から他方が接した状態にすることができる角度であることが望ましく、例えば３〜１０度程となる。なお、前述したように、前記対向面２４を曲線状に傾斜させる場合は、傾斜角度θの最低値は０度であってもよい。更に、本実施例では、前記吸込口２５側が最も低くなるように前記ブラシ部２６，２７が前記対向面２４に取り付けられているが、前記ブラシ部２６，２７の中間部を最も低くし、この中間部を境にして前記吸込口２５から離れる程高くなるようにしてもよい。前記ブラシ部２６，２７をこのように形成することで、前記中間部よりも前記吸込口２５側が塵埃の掻き取りに殆ど関与しないことになるものの、上述した実施例の構造と同様の作用を有すると共に、前記ブラシ部２６，２７の前記吸込口２５側端部が前記対向面２４から剥がれにくくすることができる。
【００２０】
さらに、前記掃除機本体４の前面には、前記第二ノズル２０を嵌合保持するノズル嵌合受け部２８を設ける。このノズル嵌合受け部２８は前記対向面２４側が前記掃除機本体４側に向くようにして前記ノズル２０全体のほぼ半分が挿入して嵌合できるように凹状に形成されており、前記ノズル嵌合受け部２８に嵌合した前記第二ノズル２０の吸込口２５の対応箇所には、この吸込口２５を封止可能な封止部材２８Ａが設けられている。この封止部材２８Ａは、シリコンゴム、合成ゴム、天然ゴム或いはエラストマ―などのゴム状の弾性材や他の前記吸込口２５に密着可能な材料によって、細長い前記吸込口２５と同一形状あるいはやや大きく形成されている。
【００２１】
さらに、前記ノズル嵌合受け部２８には、前記第二ノズル２０の着脱状態を検知するノズル検知部２９が設けられている。このノズル検知部２９は、前記ノズル嵌合受け部２８の上部に間隔をおいて設けられた左右一対の接点３０と、前記第二ノズル２０の当て面側の外周面に設けられ両端が前記一対の接点３０と接触可能な金属片等の導電体３１から成っている。左右一対の前記接点３０は、制御回路部３２に接続されていると共に、この制御回路部３２に前記回転駆動源１２が接続されており、前記ノズル検知部２９が前記ノズル嵌合受け部２８に嵌合し、左右一対の前記接点３０が前記導電体３１によって電気的に接続されると、前記ノズル検知部２９により前記第二ノズル２０が検知されるので、前記掃除機本体４の表面に設けたスイッチ３３を閉成することで、前記電動機１及び回転駆動源１２が共に回転駆動して、前記電動送風機３が作動すると共に、前記回転ブラシ１１を回転させることができる。一方、前記ノズル検知部２９が前記ノズル嵌合受け部２８に嵌合していない場合では、左右一対の前記接点３０が前記導電体３１によって電気的に接続されず、前記ノズル検知部２９により前記第二ノズル２０が検知されないので、前記スイッチ３３を閉成しても前記電動機１のみが回転駆動し、前記回転駆動源１２が回転駆動せず、この結果、前記電動送風機３のみが作動し、前記回転ブラシ１１を回転させることができないようになっている。
【００２２】
次に、本実施例の作用について説明する。本実施例の電気掃除機は、不使用時には、前記床掃除用ノズル１０に対して前記掃除機本体４を直立させることで、自立状態とすることができる。そして、床や絨毯等の掃除を行う場合、使用者は前記ハンドル１３を握って前記掃除機本体４を後方に倒すと共に、前記スイッチ３３を閉成する。これによって、前記開閉部１９が接続されて前記第一吸引路１８が連通すると共に、前記電動送風機３が作動することで、塵埃を含んだ気流が前記吸込口９から吸引され、前記集塵室５に取り付けられたフィルタ５Ａによって塵埃が捕捉され、塵埃が除かれた空気が排気部６より排気される。この際、前記第二ノズル２０が前記ノズル嵌合受け部２８に取り付けられていることで、前記吸込口２５が前記封止部材２８Ａによって封止されているので、前記第二吸引路２３による吸引は行われないと共に、前記ノズル検知部２９が閉成していることで、前記回転駆動源１２が前記スイッチ３３に応動して作動可能な状態となっているので、前記電動送風機３と共に、前記回転駆動源１２によって前記回転ブラシ１１が回転し、この回転ブラシ１１によって絨毯等に付着した塵埃が掻き取られる。
【００２３】
絨毯や衣類等に付着した塵埃、特に繊維屑や毛髪等を取り除くときは、前記第二ノズル２０を用いる。この場合、使用者は前記床掃除用ノズル１０に対して前記掃除機本体４を直立させて自立状態とし、前記開閉部１９を非接続状態として前記第一吸引路１８を遮断すると共に、前記第二ノズル２０をノズル嵌合受け部２８から取り外し、さらに前記可撓性ホース２２を前記ハンドル１３より取り外す。そして、前記第二ノズル２０をノズル嵌合受け部２８から取り外すことで、前記吸込口２５が前記封止部材２８Ａから離れて、前記第二吸引路２３の封止状態が解除される。この状態で、前記スイッチ３３を閉成することによって、前記電動送風機３が作動することで、塵埃を含んだ気流が前記吸込口２５から吸引され、前記集塵室５に取り付けられたフィルタ５Ａによって塵埃が捕捉され、塵埃が除かれた空気が排気部６より排気される。この際、前述したように、前記開閉部１９が非接続状態となっていることで、前記第一吸引路１８が遮断されているので、前記第一吸引路１８による吸引は行われないと共に、前記ノズル検知部２９が開成していることで、前記回転駆動源１２が前記スイッチ３３に応動して作動不能な状態となっているので、前記電動送風機３を作動させても、前記回転駆動源１２が作動せず、従って前記回転ブラシ１１が回転しない。そして、このように前記吸込口２５によって吸引しながら前記ブラシ部２６，２７を被清掃面Ａに接触させて動かすことで、被清掃面Ａに付着した塵埃を掻き取って前記集塵室５に吸引することができる。
【００２４】
前記ブラシ部２６，２７が設けられた前記第二ノズル２０による吸引掃除について詳述する。この第二ノズル２０によって被清掃面Ａにこびり付いた塵埃を除去する場合には、一方の前記ブラシ部２６を傾けて被清掃面Ａに当接させ、前記吸込口２５が進行方向前側となるように、即ち前記立毛２６Ａの毛先の方向に前記第二ノズル２０を移動させることで、前記被清掃面Ａに付着していない塵埃が前記吸込口２５から吸引されると共に、前記被清掃面Ａに付着した塵埃が掻き出されて前記ブラシ部２６に保持される。この際、前記吸込口２５を隔てて前記ブラシ部２６の反対側となる他方の前記ブラシ部２７は、前記被清掃面Ａとは接触しないので、他方の前記ブラシ部２７が抵抗となることがない。そして、この状態から前記第二ノズル２０を反対方向、即ち前記立毛２６Ａの毛先とは反対方向に移動させる。この時、一方の前記ブラシ部２６に保持されていた塵埃が、前記被清掃面Ａ上に離脱すると共に、この離脱した塵埃が前記吸込口２５から吸引されて前記集塵室５に貯められる。そして更に前記第二ノズル２０を移動させることで、この第二ノズル２０を意識して傾けることなく、一方の前記ブラシ部２６が前記被清掃面Ａから離れると共に、他方の前記ブラシ部２７が前記被清掃面Ａに接する。これは、人間の動きが基本的に関節を中心とした回動であることから、前記第二ノズル２０の往復運動に回動の要素が入るためである。そして、他方の前記ブラシ部２７によって、前記吸込口２５から吸引されなかった塵埃が掻き出されて保持される。この際、前述したように、一方の前記ブラシ部２６が前記被清掃面Ａとは接触していないので、前記ブラシ部２６が抵抗となることがなく、また、一方の前記ブラシ部２６からは既に塵埃が離脱しているので、このブラシ部２６が前記被清掃面Ａと接触している必要がない。そして、これらの動き（前記ブラシ部２６，２７により塵埃を掻き取った後、前記ブラシ部２６，２７から塵埃を離脱させ、離脱した塵埃を前記吸込口２５から吸引する）が繰り返されることで、前記被清掃面Ａから塵埃が除去される。
【００２５】
以上のように、電気掃除機において、被清掃面Ａと対向する細長い吸込口２５が設けられた第二ノズル２０の対向面２４に、立毛２６Ａ，２７Ａが前記吸込口２５側に傾斜するように対のブラシ部２６，２７を設け、これらのブラシ部２６，２７を前記吸込口２５側よりその外側を後退させて傾斜させたことにより、絨毯や衣類等に付着した繊維屑や毛髪等の塵埃を取り除く際、前記ブラシ部２６，２７の一方によって塵埃を掻き取り保持すると共に、前記ブラシ部２６，２７の他方が保持した塵埃を離脱した後は、前記ブラシ部２６，２７の他方が前記被清掃面Ａから離れることで抵抗となることがなく、また、前記ブラシ部２６，２７から離脱した塵埃を前記吸込口２５から吸引することで、前記被清掃面Ａを良好に清掃することができる。
【００２６】
さらに、本実施例では、電動送風機３を内蔵した掃除機本体４と、この掃除機本体４の下部に設けられて前記電動送風機３に第一吸引路１８を介して接続される床掃除用ノズル１０を備え、さらに前記掃除機本体４に対して着脱自在に設けられると共に前記電動送風機３に第二吸引路２３を介して接続された第二ノズル２０を設け、この第二ノズル２０の前記被清掃面Ａと対向する対向面２４に細長い吸込口２５を形成し、この吸込口２５を挟んで前記第二ノズル２０の移動方向両側に、それぞれ立毛２６Ａ、２７Ａの毛先を前記吸込口２５側に向けて傾斜立設させた一対のブラシ部２６，２７を設けると共に、前記ブラシ部２６，２７が前記吸込口２５から離れる程後退していることにより、前述のように、前記ブラシ部２６，２７の一方によって塵埃を掻き取り保持すると共に、前記ブラシ部２６，２７の他方が保持した塵埃を離脱した後は、前記ブラシ部２６，２７の他方が前記被清掃面Ａから離れることで抵抗となることがなく、また、前記ブラシ部２６，２７から離脱した塵埃を前記吸込口２５から吸引することで、前記被清掃面Ａを良好に清掃することができ、さらに前記第二ノズル２０が前記第一吸引路１８を兼用せずに専用の第二吸引路２３を介して電動送風機３に接続されているので、前記第二吸引路２３の吸気通路断面積や形状等を前記第二ノズル２０に応じて最適な面積、形状に設定することができる。
【００２７】
また、前記掃除機本体４に前記第二ノズル２０の嵌合受け部２８を設けると共に、この嵌合受け部２８に前記吸込口２５の封止部材２８Ａを設けたことにより、前記第二ノズル２０を前記嵌合受け部２８にセットして嵌合するだけで、前記吸込口２５を封止でき、この吸込口２５からの吸い込みを阻止できるので、前記第二ノズル２０に開閉弁などを設置しなくとも済み、前記第二ノズル２０の軽量化を図ることができ、操作性を向上させることができる。
【００２８】
しかも、前記掃除機本体４と床掃除用ノズル１０が、前記第一吸引路１８を構成する回動自在な接続部１５を介して接続され、この接続部１５に前記掃除機本体４と床掃除用ノズル１０との相対角度τに応じて前記第一吸引路１８を選択的に接続、非接続とする開閉部１９を設け、前記床掃除用ノズル１０の吸込口２５に回転ブラシ１１を設けると共にこの回転ブラシ１１に回転駆動源１２を接続し、前記嵌合受け部２７に前記第二ノズル２０の脱着に応動して前記回転駆動源を作動可能又は作動不可能とするノズル検知部２９を設けたことにより、前記第二ノズル２０を使用しないで、前記嵌合受け部２８にセットしている場合のみ、前記回転駆動源１２が駆動可能となるので、前記第二ノズル２０を使用しているときには前記回転駆動源１２が駆動するような誤動作がなく、また、前記床掃除用ノズル１０を使用せずに、前記第二ノズル２０を前記嵌合受け部２８から取り外して使用する際には、前記掃除機本体４を前記床掃除用ノズル１０に対して直立させることで前記開閉部１９が閉じ、前記電動送風機３が作動しても前記床掃除用ノズル１０の吸込口９より吸引されることを阻止することができる。
【００２９】
なお、本発明は以上の実施例に限定されるものではなく、発明の要旨の範囲内で種々の変形実施が可能である。例えば、上記実施例では、吸込口の両側に一対のブラシ部が設けられているが、要は対になってブラシ部が設けられていればよいので、二対以上のブラシ部を設けてもよい。また、全体として対と見なすことができるのであれば、前記吸込口の一方側と他方側とでブラシ部の大きさ及び数を異ならせてもよい。
【産業上の利用可能性】
【００３０】
以上のように、本発明にかかる電気掃除機は、家庭用、室内用に限らず、種々の用途に適用することができる。
【図面の簡単な説明】
【００３１】
【図１】本発明の実施例１を示す縦断面図である。
【図２】本発明の実施例１を示す全体斜視図である。
【図３】本発明の実施例１を示す要部の斜視図である。
【図４】本発明の実施例１を示す要部の断面図である。
【図５】本発明の実施例１を示すブロック図である。
【符号の説明】
【００３２】
３  電動送風機
４  掃除機本体
１０  床掃除用ノズル
１２  回転駆動源
１５  接続部
１８  第一吸引路
１９  開閉部
２０  第二ノズル
２３  第二吸引路
２４  対向面
２５  吸込口
２６，２７  ブラシ
２６Ａ，２７Ａ  立毛
２８  ノズル嵌合受け部
２８Ａ  封止部材
２９  ノズル検知部
Ａ  被清掃面
τ  相対角度
【図１】
2007054433.tif 000003
【図２】
2007054433.tif 000004
【図３】
2007054433.tif 000005
【図４】
2007054433.tif 000006
【図５】
2007054433.tif 000007